(57)【特許請求の範囲】
【請求項１】
壜体口筒(21)に密に組付き、内容液の注出口を形成する注出筒(8) とその外側にシール筒片(5) とをそれぞれ立設したキャップ本体(1) と、該キャップ本体(1) の後端にヒンジ(20)を介して連結され、頂壁(14)の内面に、閉蓋時に前記シール筒片(5) に密嵌入する栓筒(16)を垂下設した蓋体(13)と、から構成し、前記栓筒(16)の後端部の内面側部分を下方へ延設して樋片(17)を形成すると共に、前記注出筒(8) の後端部に、開蓋時に前記樋片(17)が進入可能な縦孔(18)を開設し、かつ該縦孔(18)の上端に、開蓋時に前記樋片(17)の一部が係止して、前記蓋体(13)を所定の前傾姿勢に保持する係止部(19)を設けて成るヒンジキャップ。
【請求項２】
縦孔(18)上端の係止部(19)を、開蓋時に樋片(17)の先端部上端が当接、係止する、前記縦孔(18)の各対向面に設けた係止突部(19a) で構成した請求項１記載のヒンジキャップ。
【請求項３】
縦孔(18)上端の係止部(19)を、開蓋時に樋片(17)の先端部が係止する溝が間に形成される、前記縦孔(18)の各対向面に設けた一対の係止突部(19a) 、(19b) で構成した請求項１記載のヒンジキャップ。
【発明の詳細な説明】
【０００１】
【発明の属する技術分野】
本発明は、壜体の口筒に組付けられ、内容液の注出口を開設したキャップ本体に、蓋体をヒンジ結合して構成したヒンジキャップに関するものである。
【０００２】
【従来の技術】
例えば、ドレッシングやめんつゆ等の内容液を収納する壜体の口筒に密に組付けられるこの種のヒンジキャップは、通常、内容液の注出口を形成する注出筒をキャップ本体に立設し、このキャップ本体にヒンジ結合した蓋体の頂壁内面に、キャップ本体の注出筒に嵌脱して注出口を開閉する栓筒片を突設して構成されている。
【０００３】
【発明が解決しようとする課題】
ところで、この種のヒンジキャップにあっては、内容液の種類によっては、内容液の注出に際し、蓋体を閉じた状態で壜体を振って内容液をよく撹拌してから注出する必要があるが、この撹拌動作により内容液が蓋体の頂壁内面に付着するため、注出時に壜体を傾けた際に、この蓋体に付着した内容液が垂れて、壜体の外面や周辺を汚すことがある、と云う問題があった。
【０００４】
そこで、本発明は、上記した従来技術における問題点を解消すべく創案されたもので、壜体の撹拌等によりヒンジキャップの蓋体内面に付着した内容液を、壜体内に回収することを技術的課題とし、もって注出時における液垂れを防止し、壜体の外面や周辺を汚すことなく、良好かつ円滑に注出できるようにしたヒンジキャップを提供することを目的とする。
【０００５】
【課題を解決するための手段】
上記技術的課題を解決する本発明の内、請求項１記載の発明の手段は、
壜体口筒に密に組付き、内容液の注出口を形成する注出筒とその外側にシール筒片とをそれぞれ立設したキャップ本体を有すること、
このキャップ本体の後端にヒンジを介して連結され、頂壁の内面に、閉蓋時にキャップ本体のシール筒片に密嵌入する栓筒を垂下設した蓋体を有すること、
蓋体の栓筒の後端部の内面側部分を下方へ延設して樋片を形成すること、
キャップ本体の注出筒の後端部に、開蓋時に蓋体の樋片が進入可能な縦孔を開設し、かつこの縦孔の上端に、開蓋時に樋片の一部が係止して、蓋体を所定の前傾姿勢に保持する係止部を設けること、
にある。
【０００６】
壜体の注出使用時において、壜体を振っての内容液の撹拌や壜体の持ち運び等によって、内容液がヒンジキャップの蓋体の頂壁内面に付着することがある。
【０００７】
かかる場合において、内溶液の注出のために、ヒンジキャップの蓋体を開放すると、樋片も回動して注出筒の縦孔内に進入し、その上端の係止部に係止するため、蓋体は直立よりも前傾した所定の位置で停止し、この姿勢が保持される。
【０００８】
そのため、蓋体の頂壁内面に付着している内容液は流下して、栓筒および樋片の内面に案内されて樋片の先端から注出筒内を落下し、壜体内に速やかに回収される。
【０００９】
請求項２記載の発明は、請求項１記載の発明の構成に、縦孔上端の係止部を、開蓋時に樋片の先端部上端が当接、係止する、縦孔の各対向面に設けた係止突部で構成した、ことを加えたものである。
【００１０】
この請求項２記載の発明においては、単純な突片構造の係止突部で、縦孔上端の係止部を構成したので、この係止部の構造がきわめて簡単なものとなる。
【００１１】
請求項３記載の発明は、請求項１記載の発明の構成に、縦孔上端の係止部を、開蓋時に樋片の先端部が係止する溝が間に形成される、縦孔の各対向面に設けた一対の係止突部で構成した、ことを加えたものである。
【００１２】
この請求項３記載の発明においては、縦孔上端の係止部に対する樋片先端部の係止による蓋体の所定の前傾姿勢が、開閉方向に妄りに変化することなく、安定して保持される。
【００１３】
【発明の実施の形態】
以下、本発明の一実施例を、図面を参照しながら説明する。
図１〜図３は、本発明の第一実施例を示したもので、ヒンジキャップは、壜体口筒２１に組付くキャップ本体１と、このキャップ本体１の後端にヒンジ２０を介して連結された蓋体１３とから構成されている。
【００１４】
キャップ本体１は、壜体口筒２１の外周に嵌着する組付き筒２の上端内方に、頂壁３を介して、蓋体１３の周壁１５が係脱可能に外嵌する嵌合筒４を立設すると共に、嵌合筒４の上端内縁に、内方へ上り勾配に形成された肉薄のシール筒片５が連設されている。
【００１５】
また、頂壁３の内端には、壜体口筒２１に嵌入する嵌入筒６が垂下設されていると共に、この嵌入筒６の内方に、後方へ下り勾配に形成されたテーパ壁７が連設されており、さらにこのテーパ壁７の内端に、注出口を形成する注出筒８が、連設されている。
【００１６】
キャップ本体１の注出口の底面は、破断溝１０の内側部分を除去壁部１１とした口壁９で閉塞されており、この除去壁部１１は、その上面に一体設されたプルリング１２を使用時に引き上げることにより、破断溝１０部分で破断されて除去される（図２参照）。
【００１７】
蓋体１３の二段状に形成された頂壁１４の内面には、閉蓋時にシール筒片５に密嵌入する栓筒１６が垂下設されていると共に、この栓筒１６の肉厚に成形された後端部には、その内面側部分を下方へ延長した形態で、円弧溝状の樋片１７が連設されている。
【００１８】
キャップ本体１の注出筒８の後端には、開蓋時に蓋体１３の樋片１７が進入可能な幅を有する縦孔１８が上下方向に開設されていると共に、この縦孔１８の上端部の各対向面には、樋片１７の先端部上端が当接、係止して、蓋体１３を直立よりもやや前傾した姿勢に保持すべく、係止部１９を構成する係止突部１９ａが設けてある（図２、図３参照）。
【００１９】
図４は、本発明の第二実施例を示したもので、縦孔１８の係止部１９を、樋片１７の先端部が係止する溝が間に形成される一対の係止突部１９ａ、１９ｂで構成し、この係止による蓋体１３の所定の前傾姿勢保持を、開閉方向に妄りに変化することなく、安定して達成維持するようにしたものである。
【００２０】
【発明の効果】
本発明は、上記した構成となっているので、以下に示す効果を奏する。
請求項１記載の発明にあっては、使用時において蓋体を開放すると、蓋体は所定の前傾位置で停止し、その姿勢が保持されるので、蓋体の頂壁内面に付着している内容液は流下して、栓筒および樋片の内面に案内されて樋片の先端から注出筒内を落下し、壜体内に速やかに回収される。
【００２１】
従って、壜体を前傾させての内容液注出時において、蓋体内面に付着した内容液の液垂れにより、壜体の外面や、周辺を汚すことなく、良好かつ円滑に注出を行なうことができる。
【００２２】
請求項２記載の発明にあっては、キャップ本体の縦孔上端の係止部を、きわめて簡単な構造で構成することができる。
【００２３】
請求項３記載の発明にあっては、キャップ本体の縦孔上端の係止部を、簡単な構造で構成することができると共に、蓋体の所定の前傾姿勢を、開閉両方向に妄りに変位しないように、安定して保持するので、良好な使用状態を得ることができる。
【図面の簡単な説明】
【図１】本発明の第一実施例を示す、閉蓋状態の縦断面図。
【図２】図１に示した実施例の、開蓋状態を示す縦断面図。
【図３】図２に示した開蓋状態の、要部正面図。
【図４】本発明の第二実施例を示す、開蓋状態の要部正面図。
【符号の説明】
１    ；  キャップ本体
２    ；  組付き筒
３    ；  頂壁
４    ；  嵌合筒
５    ；  シール筒片
６    ；  嵌入筒
７    ；  テーパ壁
８    ；  注出筒
９    ；  口壁
１０  ；  破断溝
１１  ；  除去壁部
１２  ；  プルリング
１３  ；  蓋体
１４  ；  頂壁
１５  ；  周壁
１６  ；  栓筒
１７  ；  樋片
１８  ；  縦孔
１９  ；  係止部
１９ａ；  係止突部
１９ｂ；  係止突部
２０  ；  ヒンジ
２１  ；  壜体口筒
【図１】
0004165631.tif 000002
【図２】
0004165631.tif 000003
【図３】
0004165631.tif 000004
【図４】
0004165631.tif 000005